(57)【要約】【課題】表示ウィンドウ内の図形情報表示を制御する方法を実現すること。【解決手段】本発明による方法によれば，例えば大きな文書内の現在位置からスクロールした後でどこへ戻るかをユーザに示す「記憶」を備えたスクロール操作領域，すなわちスクロールバーが提供される。この方法は，ウィンドウのスクロールする内容を非常に注意深く見なければならないことからユーザを解放し，先行技術による方法に比べてより素早くスクロールができることを意味する点で有利である。【選択図】図４ｂ
2011060301.tif 000002
【特許請求の範囲】
【請求項１】
表示デバイス上に表示されたウィンドウ内の図形情報表示を制御する方法であって，前記図形情報の第１サブセットが前記ウィンドウ内に表示され，スクロール操作領域が前記表示デバイス上に表示され，前記スクロール操作領域内に少なくとも第１位置標識が，前記図形情報の前記第１サブセットの第１位置と関連する前記図形情報内の第１位置に表示され，
ユーザが前記図形情報の第２サブセットを閲覧したいことを示す第１信号を受信するステップと，
前記ウィンドウ内に前記図形情報の前記第２サブセットを表示するステップと，
前記スクロール操作領域内に第２位置標識を，前記図形情報の前記第２サブセットの第２位置と関連する前記図形情報内の第２位置に表示するステップと，
を有する方法。
【請求項２】
前記ユーザが前記図形情報の前記第１サブセットを閲覧したいことを示す第２信号を受信するステップと，
前記ウィンドウ内に前記図形情報の前記第１サブセットを表示するステップと，
前記第２位置標識を消去するステップと，
を更に有する請求項１に記載の方法。
【請求項３】
前記ユーザが前記図形情報の第１サブセットを閲覧したいことを示す第２信号を受信するステップと，
前記ウィンドウ内に前記図形情報の前記第１サブセットを表示するステップと，
前記スクロール操作領域内の前記第１位置に前記第２位置標識を表示するステップと，
を更に有する請求項１に記載の方法。
【請求項４】
携帯電話機であって，該携帯電話機の表示ユニット上に表示されるウィンドウ内の図形情報表示を制御する手段を備え，前記図形情報の第１サブセットが前記ウィンドウ内に表示され，スクロール操作領域が前記携帯電話機の前記表示ユニット上に表示され，前記スクロール操作領域内に少なくとも第１位置標識が，前記図形情報の前記第１サブセットの第１位置と関連する前記図形情報内の第１位置に表示され，
ユーザが前記図形情報の第２サブセットを閲覧したいことを示す第１信号を受信する手段と，
前記ウィンドウ内に前記図形情報の前記第２サブセットを表示する手段と，
前記スクロール操作領域内に第２位置標識を，前記図形情報の前記第２サブセットの第２位置と関連する前記図形情報内の第２位置に表示する手段と，
を備える携帯電話機。
【請求項５】
計算機デバイスにおいて実行したとき，請求項１〜３のいずれか一項に記載の方法を実行する計算機プログラムコードを有する計算機プログラム。
【発明の詳細な説明】
【技術分野】
【０００１】
本発明は表示デバイス上の図形情報表示に関し，特に図形情報の別個のサブセットの表示制御に関する。
【背景技術】
【０００２】
先の数十年にわたるデジタル計算デバイス及び記憶デバイスの開発により，非常に高速な処理及び非常に大きな記憶容量を有するデバイスが登場したが，デバイスのユーザとのインタフェースに関しては，解決しなければならない課題がまだ残されている。そのような課題の一例は，何百ページもあるワードプロセッサ文書又は表計算文書，若しくは何千行ものテキスト及び画像を有するウェブページのような大きな文書を，容易に閲覧できる方法である。特に，大きなワードプロセッサ文書の編集及び閲覧は，その文書の多くの別個の部分を参照する必要があるとき，通常非常にやっかいである。
【０００３】
例えば，文書内の第１位置で編集しているとき，その文書のもう１つの場所から段落を複写する必要があるかもしれない。ユーザはこの操作を行うとき，計算機の表示画面上のウィンドウ内で文書をスクロールさせる１回目のスクロール操作を行い，それによって文書の現在の部分を画面上から消去し，そして複写又は切取り操作を行う必要があるだろう。次に現在位置を再度画面に表示させるため，２回目のスクロール操作を行う。この２回目のスクロール操作を行うとき，ユーザは文書の位置，すなわち現在位置及びスクロール操作を停止させる位置，を認識するために，普通，スクロールするウィンドウの内容を注意して調べるであろう。これは，ユーザがスクロールするウィンドウの内容を非常に注意深く見なければならず，またスクロールを行うために不必要に長時間を要する，という少なくとも２つの点で課題である。
【０００４】
この課題に対する現在の解決方法は非常に単純であり，したがって表示ウィンドウ内のスクロールする内容を見て調べなければならない不便さを補うものではない。例えば普通ワードプロセッサアプリケーション及び表計算アプリケーションは，スクロール操作中，ページ番号又は行番号を表す数字を表示する動的ページ番号標識をユーザに提供する。
【先行技術文献】
【特許文献】
【０００５】
【特許文献１】特開平０９−３２５８７９号公報
【特許文献２】特開２０００−２９３２９０号公報
【特許文献３】特開平０６−２４２９１６号公報
【発明の概要】
【発明が解決しようとする課題】
【０００６】
したがって本発明の目的は，図形情報表示を制御する先行技術による解決方法の欠点を克服することである。
【課題を解決するための手段】
【０００７】
第１態様において，この目的は表示デバイス上に表示されたウィンドウ内の図形情報表示を制御する方法によって達成される。ウィンドウ内に図形情報の第１サブセットが表示され，スクロール操作領域もまた表示デバイス上に表示される。スクロール操作領域内には，少なくとも第１位置標識が図形情報内の図形情報の第１サブセットの第１位置に関連する第１位置に表示される。この方法は，ユーザが図形情報の第２サブセットを閲覧したいことを示す第１信号を受信する受信するステップを有する。更にスクロール操作領域内に第２位置標識が，図形情報内の図形情報の第２サブセットの第２位置と関連する第２位置に表示される。
【０００８】
実際上この解決方法は，例えば大きな文書内の現在位置からスクロールした後でどこへ戻るかをユーザに示す「記憶」を備えたスクロール操作領域，すなわちスクロールバーを提供するものと理解することができる。この方法は，ウィンドウのスクロールする内容を非常に注意深く見なければならないことからユーザを解放し，先行技術による方法に比べてより素早くスクロールができることを意味する点で有利である。
【０００９】
好適な実施例において本発明による方法は，ユーザが図形情報の第１サブセットを閲覧したいことを示す第２信号を受信するステップと，ウィンドウ内の図形情報の第１サブセットを表示するステップと，第２位置標識を消去するステップと，を有する。
【００１０】
これは，１回目のスクロールの前の図形情報画面に自動的に戻りたいことを通知する選択肢をユーザに提供する。これは，大きな文書のスクロールを更に簡略化し，スピードアップする利点を有する。
【００１１】
もう１つの好適な実施例において本発明による方法は，ユーザが図形情報の第１サブセットを閲覧したいことを示す第２信号を受信するステップと，ウィンドウ内に前記図形情報の第１サブセットを表示するステップと，スクロール操作領域内に第２位置標識を，第１位置に表示するステップと，を更に有する。
【００１２】
これは，１回目のスクロールの前の図形情報画面に自動的に戻りたいことを通知する代替選択肢をユーザに提供する。これは，大きな文書のスクロールを更に簡略化し，スピードアップする利点を有する。
【図面の簡単な説明】
【００１３】
【図１】本発明による構成を簡単に示す図である。
【図２】ウィンドウ内に図形情報がスクロール操作領域と共に表示される表示デバイスを簡単に示す図である。
【図３ａ】本発明による方法を実行したときのウィンドウ及びスクロール操作領域の様子を簡単に示す図である。
【図３ｂ】本発明による方法を実行したときのウィンドウ及びスクロール操作領域の様子を簡単に示す図である。
【図３ｃ】本発明による方法を実行したときのウィンドウ及びスクロール操作領域の様子を簡単に示す図である。
【図４ａ】本発明による方法を実行したときのウィンドウ及びスクロール操作領域の様子を簡単に示す図である。
【図４ｂ】本発明による方法を実行したときのウィンドウ及びスクロール操作領域の様子を簡単に示す図である。
【図５】ウィンドウ及びスクロール操作領域の様子を簡単に示す図である。
【図６】ウィンドウ及びスクロール操作領域の様子を簡単に示す図である。
【図７】本発明による方法の実施例のフローチャートである。
【図８】本発明による方法の実施例のフローチャートである。
【発明を実施するための形態】
【００１４】
図１に，本発明を実現するデバイスの機能ブロック図を簡略に示す。
【００１５】
携帯電話機１００は表示ユニット１０２を備え，その上に図形情報が制御ユニット１０４の制御下で表示できる。制御ユニット１０４は，メモリユニット１０６との間でプログラムコード及びほかのデータである情報を交換し，キーボード１１０と，ポインティングデバイス１１２と，入出力ユニット１０８を介してアンテナ１１６を備えた送受信器１１４と，を備える。
【００１６】
図１は，データ処理及び表示ユニット上に図形情報を表示できる携帯電話機１００を示しているが，本発明の実現にほかの計算機デバイスを用いてもよい。そのようなデバイスの一例は，多少据置き型の，又は可搬型のパーソナル計算機であり，表示デバイスと，キーボードと，ポインティングデバイスであって，ユーザが表示デバイス上の図形ポインタを動かしたいことを計算機に示す信号を与え，またポインティングデバイス上のボタンによってほかの信号を与えることができるデバイスと，を備える。当業者であれば気が付くことであるが，ポインティングデバイスは，通常のマウス，ジョイスティック，タッチパッドなどであってよい。メモリユニット１０６にある制御ソフトウェアは，表示ユニット１０２上の図形情報表示を，本発明によって制御するように設計される。
【００１７】
図２は，図１に示す構成の表示デバイス１０２のような表示デバイス２００を簡単に示したものである。水平方向ｘ及び垂直方向ｙに広がる長方形のウィンドウ２０２は，図形情報２０４のサブセットを示しており，この場合はテキスト及び画像である。当業者であれば気が付くことであるが，図形情報２０４はウェブサーバから発信されたものであってもよく，その場合ウィンドウ２０２はウェブブラウザの一部を形成する。また図形情報２０４は，ワードプロセッサ文書，表計算文書，又はウィンドウ２０２を有するビューア手段によって見ることができる任意のほかの文書であってもよい。
【００１８】
ウィンドウ２０２の垂直範囲全体に沿って，スクロール操作領域２０６が表示される。そのようなスクロール操作領域は，しばしばスクロールバーと呼ばれる。スクロール操作領域２０６内には位置標識２０８が表示される。位置標識２０８は，垂直方向ｙのスクロール操作領域２０６内に位置し，それによってウィンドウ２０２内に表示されているウェブページ又は文書を構成する図形情報内の図形情報のサブセット２０４の位置を表す。
【００１９】
位置標識２０８はまた，対話ツール，すなわち表示制御ソフトウェア内の機能，の視覚表現でもある。対話ツールは，ユーザ又は閲覧者が，ウィンドウ２０２内に表示されている文書の図形情報の任意のサブセットを表示させるように制御ソフトウェアに指示するために操作するものである。そのような操作は，普通，図１に関連して前に説明したポインティングデバイス１１２のようなポインティングデバイスからの信号によって実行される。当業者であれば気が付くことであるが，ポインティングデバイスは，しばしば，例えば矢印２５０のような図形として表示デバイス２００上に表現される。
【００２０】
ここで本発明の実施例を示す図３ａ〜３ｃを参照する。図３ａ〜３ｃは，図形情報３０４ａ，３０４ｂ，３０４ｃが１〜３２の一連番号で示されているウィンドウ３０２を示している。ウィンドウ３０２に沿って，位置標識３０８を備えるスクロール操作領域３０６がある。
【００２１】
図３ａは，図形情報３０４ａ（ここでは番号１５〜２６で表されている）の第１サブセットが図形情報のおよそ中央に位置する状態がウィンドウ３０２に表示されている。図３ａにおいて，位置標識３０８はスクロール操作領域３０６のおよそ中央の位置にある。
【００２２】
図３ｂはスクロール操作後のウィンドウ３０２の様子を示している。そのスクロール操作は，図２に関連して上述したとおり，ポインティングデバイスを操作することによってユーザ又は閲覧者が起動したものである。表示ウィンドウ３０２を制御するソフトウェアが信号を受信し，それによって図形情報３０４ｂ（ここでは番号２〜１１で表されている）の第２サブセットを図形情報のおよそ先頭に表示する。ここで，ポインティングデバイスから受信した信号への応答として，そして表示ソフトウェアの制御下で，第２位置標識３１０が現れる。第２位置標識は，スクロール操作領域３０６のおよそ最上部にある。図３ａ内の位置標識３０８はスクロール操作領域３０６のおよそ中央に留まっており，これによってユーザ又は閲覧者に対して，図形情報のどのサブセット，すなわちサブセット３０４ａがポインティングデバイスを操作する前に表示されていたかについての「注意喚起」として働く。
【００２３】
図３ｃは，図３ｂと類似した状態を示している。すなわち図３ｃは，スクロール操作後のウィンドウ３０２の様子を示している。そのスクロール操作は，図２に関連して上述したとおり，ポインティングデバイスを操作することによってユーザ又は閲覧者が起動したものである。表示ウィンドウ３０２を制御するソフトウェアが信号を受信し，それによってここでも図形情報３０４ｃ（ここでは番号２０〜３１で表されている）の第２サブセットを図形情報のおよそ末尾に表示する。ここでもまた，ポインティングデバイスから受信した信号への応答として，そして表示ソフトウェアの制御下で，第２位置標識３１０が現れる。第２位置標識は，図３ｃ内のスクロール操作領域３０６のおよそ最下部にある。図３ｂに関連して説明した状態と同様に，図３ｃ内の位置標識３０８はスクロール操作領域３０６のおよそ中央に留まっており，これによってユーザ又は閲覧者に対して，図形情報のどのサブセット，すなわちサブセット３０４ａがポインティングデバイスを操作する前に表示されていたかについての「注意喚起」として働く。
【００２４】
任意選択として，図３ｂ又は３ｃに関して説明したいずれかの状態の後で，ユーザ又は閲覧者が図３ａに示すような図形情報画面に戻したいと思ったとき，ポインティングデバイスから第２信号を受信するようにしてもよい。その信号は，位置標識３０８をスクロール操作領域３０６に表示したまま第２位置標識３１０を消去し，図形情報３０４ａのサブセットをウィンドウ３０２に表示するように，表示ソフトウェアに指示する。
【００２５】
ユーザの観点からすれば，図３ａ〜３ｃに関連して説明した実施例は次のようにまとめることができる。ユーザがあるウェブサイトのコンテンツのあるページをブラウズしており，そのページの内容は画像だけでなく大きなテキスト部を含む。ウェブページの内容は，ウェブページが表示されている表示ウィンドウよりもずっと上まで，及びずっと下まで広がっている。現在位置を読んでいるときユーザは，表示ウィンドウの現在の画像の上又は下の見えなくなっているウェブページの特定部を見る必要があることに気付く。そこでユーザは，スクロールバーの現在位置標識の位置を指しながら，例えば２つボタンマウスの右ボタンをダブルクリックする。次に「注意喚起」が生成されて，現在位置標識と同一の位置に，例えば異なる色で表示される現在位置指標の複製として表示される。次にユーザは，現在位置において閲覧を続ける前に，ユーザが閲覧したいコンテンツを含むウェブページの特定部まで表示ウィンドウをスクロールさせる。ウェブページの特定部を閲覧した後，ユーザは現在位置での閲覧に戻ることにする。これを実行するためにユーザは再度，スクロールバーの「注意喚起」位置指標の位置を指しながら，例えば２つボタンマウスの右ボタンをダブルクリックする。それによって表示ウィンドウの画像は現在位置に戻り，「注意喚起」位置指標は消去される。あるいは，現在位置の閲覧へ戻るために，ユーザはスクロールバーの現在位置指標の位置を示しながらマウスボタンをクリックしてもよい。
【００２６】
図４ａ及び４ｂに，本発明による方法のもう１つの実施例を示す。図３ａ〜３ｃに関連して説明した実施例と類似して，図４ａ及び４ｂにおいて，ウィンドウ４０２はそれぞれ図形情報のサブセット４０４ａ及び４０４ｂを表示している。前と同様図形情報は，一連番号１〜３２によって簡単に表現されている。ウィンドウ４０２に隣接してスクロール操作領域４０６があり，第１位置標識４０８は図形情報内の図形情報のそれぞれのサブセットの位置に対応する位置にある。
【００２７】
図４ａは，図形情報４０４ａ（ここでは番号１５〜２６で表されている）の第１サブセットが図形情報のおよそ中央に位置する状態がウィンドウ４０２に表示されている。図４ａにおいて，位置標識４０８はスクロール操作領域４０６のおよそ中央の位置にある。第２位置指標４１０もまた，スクロール操作領域４０６に表示されている。
【００２８】
図４ｂはスクロール操作後のウィンドウ４０２の様子を示している。そのスクロール操作は，図２に関連して上述したとおり，ポインティングデバイスを操作することによってユーザ又は閲覧者が起動したものである。表示ウィンドウ４０２を制御するソフトウェアが信号を受信し，それによって図形情報４０４ｂ（ここでは番号２〜１２で表されている）の第２サブセットを図形情報のおよそ先頭に表示する。第２位置標識４１０は，スクロール操作領域４０６のおよそ最上部にある。第１位置標識４０８はスクロール操作領域４０６のおよそ中央に留まっており，これによってユーザ又は閲覧者に対して，図形情報のどのサブセット，すなわちサブセット４０４ａがポインティングデバイスを操作する前に表示されていたかについての「注意喚起」として働く。
【００２９】
図形情報表示の変更を示すポインティングデバイスから受信した信号は，ユーザが例えば計算機マウス形態のポインティングデバイスの「クリック」ボタンを用いて，いわゆる「クリックしてドラグ」を行うことによって発生されたものであることが好ましい。いわゆる「クリックしてドラグ」操作の間，図形情報表示は図４ｂのように変化し，そこで図形情報４０４ｂの第２サブセットが表示される（図３ｂに関して説明した状態と比較されたい）。更にここで，スクロール操作領域４０６に伸縮するばねの視覚表現４１２が現れて，「クリックボタン」を放したとき，ウィンドウ４０２がウィンドウ４０２内に図形情報４０４ａの第１サブセットを再度表示し，第２位置指標４１０がスクロール操作領域４０６内の元の位置に戻るように指示する信号を制御ソフトウェアが受信することをユーザ又は閲覧者に示す。
【００３０】
ユーザの観点からすれば，図４ａ及び４ｂに関連して説明した実施例は次のようにまとめることができる。ユーザがあるウェブサイトのコンテンツのあるページをブラウズしており，そのページの内容は画像だけでなく大きなテキスト部を含む。ウェブページの内容は，ウェブページが表示されている表示ウィンドウよりもずっと上まで，及びずっと下まで広がっている。現在位置を読んでいるときユーザは，表示ウィンドウの現在の画像の上又は下の見えなくなっているウェブページの特定部を見る必要があることに気付く。そこでユーザは，例えば２つボタンマウスの右ボタンを用いて「クリックしてドラグ」操作を行い，一時位置指標をユーザが閲覧したいコンテンツを含む特定部までドラグする。すなわち，「クリックしてドラグ」操作を開始するとき，一時位置指標が生成されて，例えば現在位置指標の複製として表示される。「クリックしてドラグ」操作の間，ドラグされている一時位置指標と現在位置指標とをつなぐ伸縮するばねの視覚表現が表示される。特定部を閲覧している間，ユーザはマウスボタンを押し続ける。ウェブページの特定部を閲覧した後，ユーザは現在位置の閲覧に戻ることにする。これを実行するには，ユーザは「クリックしてドラグ」操作の間押下していたマウスボタンを単に放せばよい。次に表示ウィンドウ内の画像は現在位置に戻り，伸縮するばね及び一時位置指標は消える。
【００３１】
ここで図５及び６に移り，本発明のほかの代替実施例を簡単に説明する。図５は，ウィンドウ５０２が表示されている表示デバイス５００を示している。ウィンドウ５０２内に図形情報５０４のサブセットが表示されている。ウィンドウ５０２の近くにスクロール操作領域５０６が示されている。上述の実施例とは対照的に，スクロール操作領域５０６は，図５内でウィンドウ５０２に直接隣接もしていないし，ウィンドウ５０２と同じｙ方向の空間的広がりもない。例えば図１に示したデバイスのポインティングデバイス１１２から信号を受信すると，その信号に応答して表示制御ソフトウェアはウィンドウ５０２と，スクロール操作領域５０６と，位置指標５０８と，第２位置指標５１０と，の様子を上述のように変更する。
【００３２】
本発明の更にもう１つの実施例に移り，図６にウィンドウ６０２が図形情報６０４のサブセットを表示している表示デバイス６００を示す。この実施例においては，スクロール操作領域６０６は２次元の空間領域を有するように示されている。すなわち前述の実施例とは対照的に，スクロール操作領域６０６はｙ方向だけでなくｘ方向にも広がっている。更に，スクロール操作領域６０６には位置指標６０８及び第２位置指標６１０が示されている。例えば図１に示したデバイスのポインティングデバイス１１２から信号を受信すると，その信号に応答して表示制御ソフトウェアはウィンドウ６０２と，スクロール操作領域６０６と，位置指標６０８と，第２位置指標６１０と，の様子を上述のように変更するが，位置をｘ方向及びｙ方向双方に変えられる点が異なる。
【００３３】
本発明のもう１つの好適な実施例による方法を，図７のフローチャート，並びに図１と，図３ａと，図３ｂと，に関する上述の説明を参照してここで説明する。この方法は，デバイス１００のメモリユニット１０６にある計算機プログラムによって実現するのが好ましい。
【００３４】
第１ステップ７０１において，図形情報３０４ａの第１サブセットがウィンドウ３０２に表示され，第１位置指標３０８がスクロール操作領域３０６内の第１位置に表示される。
【００３５】
第２ステップ７０３において，第１信号が受信される。ここでこの信号は，ユーザ又は閲覧者が図形情報３０４ｂの第２サブセットを閲覧したいことを示す。
【００３６】
第３ステップ７０５において，図形情報３０４ｂの第２サブセットが表示デバイス３００上のウィンドウ３０２内に表示され，第２位置標識３１０がスクロール操作領域３０６内の第２位置に表示される。
【００３７】
本発明のもう１つの好適な実施例による方法を，図８のフローチャート，並びに図１と，図４ａと，図４ｂと，に関する上述の説明を参照してここで説明する。この方法は，デバイス１００のメモリユニット１０６にある計算機プログラムによって実現するのが好ましい。
【００３８】
第１ステップ８０１において，図形情報４０４ａの第１サブセットがウィンドウ４０２に表示され，第１位置指標４０８及び第２位置指標４１０がスクロール操作領域４０６内の第１位置に表示される。
【００３９】
第２ステップ８０３において，第１信号が受信される。ここでこの信号は，ユーザ又は閲覧者が図形情報４０４ｂの第２サブセットを閲覧したいことを示す。
【００４０】
第３ステップ８０５において，図形情報４０４ｂの第２サブセットが表示デバイス３００上のウィンドウ３０２内に表示され，第２位置標識４１０がスクロール操作領域４０６内の第２位置に表示される。第１位置指標４０８と第２位置指標４１０との間に伸縮するばね４１２の視覚表現が表示される。
【００４１】
第４ステップ８０７において，第２信号が受信される。ここでこの信号は，ユーザ又は閲覧者が図形情報４０４ａの第１サブセットを閲覧したいことを示す。
【００４２】
第５ステップ８０９において，図形情報４０４ａの第１サブセットがウィンドウ４０２内に再度表示され，第１位置指標４０８及び第２位置指標４１０がスクロール操作領域４０６内の第１位置に再度表示される。伸縮するばね４１２の視覚表現が消去される。
【図１】
2011060301.tif 000003
【図２】
2011060301.tif 000004
【図３ａ】
2011060301.tif 000005
【図３ｂ】
2011060301.tif 000006
【図３ｃ】
2011060301.tif 000007
【図４ａ】
2011060301.tif 000008
【図４ｂ】
2011060301.tif 000009
【図５】
2011060301.tif 000010
【図６】
2011060301.tif 000011
【図７】
2011060301.tif 000012
【図８】
2011060301.tif 000013
【手続補正書】
【提出日】平成22年10月19日(2010.10.19)
【手続補正１】
【補正対象書類名】特許請求の範囲
【補正対象項目名】全文
【補正方法】変更
【補正の内容】
【特許請求の範囲】
【請求項１】
表示デバイス上のスクロール操作領域内に，図形情報の第１サブセットの第１位置と関連する第１位置標識を表示するステップと，
前記図形情報の第２サブセットへスクロールするステップと，
前記スクロール操作領域内に，前記第１位置標識及び前記図形情報の第２サブセットと関連する第２位置標識を表示し，それによって前記図形情報の第１サブセットの表示に戻ることを容易にするステップと，
前記第１位置標識の選択が検出されたとき，前記図形情報の第２サブセットを前記第１位置に移動させるステップと，
を有する方法。
【請求項２】
前記図形情報の第１サブセットを閲覧する要求を示す信号を検出するステップと，
前記図形情報の第１サブセットを表示するステップと，
前記第２位置標識を消去するステップと，
を更に有する請求項１に記載の方法。
【請求項３】
前記図形情報の第１サブセットを閲覧する要求を示す信号を検出するステップと，
前記図形情報の第１サブセットを表示するステップと，
前記スクロール操作領域内の前記第１位置に前記第２位置標識を表示するステップと，
を更に有する請求項１に記載の方法。
【請求項４】
制御装置と，
計算機プログラムコードを含むメモリユニットと，
を備える装置であって，
前記メモリユニット及び前記制御装置は，前記装置に少なくとも，
スクロール操作領域内に，図形情報の第１サブセットの第１位置と関連する第１位置標識を表示するステップと，
前記図形情報の第２サブセットへスクロールするステップと，
前記スクロール操作領域内に，前記第１位置標識及び前記図形情報の第２サブセットと関連する第２位置標識を表示し，それによって前記図形情報の第１サブセットの表示を容易にするステップと，
前記第１位置標識が選択されたとき，前記図形情報の第２サブセットを前記第１位置に移動させるステップと，
を実行させるように構成されている装置。
【請求項５】
計算機デバイスにおいて実行したとき，請求項１に記載の方法を実行する計算機プログラムコードを有する計算機プログラムを記憶させた記憶媒体。
【請求項６】
前記図形情報の第１サブセット及び第２サブセットは，一つの文書内にある請求項１に記載の方法。
【請求項７】
前記図形情報の第１サブセット及び第２サブセットは，一つの文書内にある請求項４に記載の装置。
【請求項８】
表示デバイス上のスクロール操作領域内に，図形情報の第１サブセットの第１位置と関連する第１位置標識を表示する手段を備えた，ユーザに前記図形情報を提示するユーザインタフェースであって，該ユーザインタフェースは更に，
前記図形情報の第２サブセットへスクロールし，前記第１サブセット及び前記第２サブセットの一方を，前記第１サブセット及び前記第２サブセットの他方からの素材で編集することを容易にし，
前記図形情報の第２サブセットの任意の部分を選択する前に，前記スクロール操作領域内に，前記第１位置標識及び前記図形情報の第２サブセットと関連する第２位置標識を表示し，それによって前記ユーザが前記図形情報の第１サブセットの表示に戻ることを容易にし，
前記第１位置標識の選択が検出されたとき，前記図形情報の第２サブセットを前記第１位置に移動させる
手段を備えるユーザインタフェース。
【請求項９】
計算機可読記憶媒体であって，計算機に，
表示デバイス上のスクロール操作領域内に，図形情報の第１サブセットの第１位置と関連する第１位置標識を表示するステップと，
ユーザが前記図形情報の第２サブセットを閲覧したいことを示す第１信号を受信するステップと，
前記図形情報の第２サブセットを表示するステップと，
前記図形情報の第２サブセットの任意の部分を選択する前に，前記スクロール領域内に前記第１位置標識及び前記図形情報の第２サブセットと関連する第２位置標識を表示し，それによって前記ユーザが前記図形情報の第１サブセットの表示に戻ることを容易にするステップと，
前記第１位置標識が選択されたとき，前記図形情報の第２サブセットを前記第１位置に移動させるステップと，
の実行を指示する命令を含むプログラムを含む計算機可読記憶媒体。
【請求項１０】
前記表示が前記図形情報の第２サブセットに移動したとき，前記第１位置標識と前記第２位置標識との間に視覚的リンクを更に有し，スクロールキーが開放されたとき，前記標示を前記図形情報の第１サブセットへ戻す請求項１に記載の方法。